(57)【要約】【課題】  剛性や振動特性を維持しつつ軽量化を図ることのできる磁気ヘッド支持体、当該磁気ヘッド支持体を有する磁気ヘッド組立体及び当該磁気ヘッド組立体を有する磁気ディスク装置を提供する。【解決手段】  （ａ）回動可能に支持されるアーム、（ｂ）前記アームに固定されるロードビームであって、（ｂ−１）バネ部と、（ｂ−２）前記バネ部の幅よりも小さな幅をもち、両端に先端フランジを有する細長部と、当該細長部と前記バネ部とをつなぐ基部とを備えた先端部と、を具備するロードビーム、及び、（ｃ）前記ロードビームに固定され、前記基部を裏打ちする裏打ち部を具備するフレクシャ、を有する磁気ヘッド支持体、当該磁気ヘッド支持体を有する磁気ヘッド組立体及び当該磁気ヘッド組立体を有する磁気ディスク装置である。【選択図】        図１
2006190365.tif 000002
【特許請求の範囲】
【請求項１】
（ａ）回動可能に支持されるアーム、
（ｂ）前記アームに固定されるロードビームであって、
（ｂ−１）バネ部と、
（ｂ−２）前記バネ部の外形寸法よりも小さな幅をもち、両端に先端フランジを有する細長部と、当該細長部と前記バネ部とをつなぐ基部とを備えた先端部と、を具備するロードビーム、
及び、（ｃ）前記ロードビームに固定され、前記基部を裏打ちする裏打ち部を具備するフレクシャ、
を有する、ことを特徴とする磁気ヘッド支持体。
【請求項２】
請求項１に記載の磁気ヘッド支持体において、
前記裏打ち部は、前記細長部の幅よりも大きな幅をもって形成される、
ことを特徴とする磁気ヘッド支持体。
【請求項３】
請求項１に記載の磁気ヘッド支持体において、
前記細長部から前記基部に跨がる位置に、前記ロードビームの幅方向で、その一部が前記先端フランジと重なる補強フランジを有する、
ことを特徴とする磁気ヘッド支持体。
【請求項４】
請求項３に記載の磁気ヘッド支持体において、
前記補強フランジは、前記ロードビームに形成される、
ことを特徴とする磁気ヘッド支持体。
【請求項５】
請求項３に記載の磁気ヘッド支持体において、
前記補強フランジは、前記フレクシャに形成される、
ことを特徴とする磁気ヘッド支持体。
【請求項６】
（ａ）回動可能に支持されるアーム、
（ｂ）前記アームに固定されるロードビームであって、
（ｂ−１）バネ部と、
（ｂ−２）前記バネ部の外形寸法よりも小さな幅をもち、両端に先端フランジを有する細長部と、当該細長部と前記バネ部とをつなぐ基部とを備えた先端部と、を具備するロードビーム、
（ｃ）前記ロードビームに固定されるフレクシャ、
及び、（ｄ）前記ロードビーム及び／又は前記フレクシャに形成され、前記細長部から前記基部に跨がる位置に、前記ロードビームの幅方向で、その一部が前記先端フランジと重なる補強フランジ、
を有する、ことを特徴とする磁気ヘッド支持体。
【請求項７】
（ａ）回動可能に支持されるアーム、
及び、（ｂ）前記アームに固定されるロードビームであって、
（ｂ−１）バネ部と、
（ｂ−２）前記バネ部の外形寸法よりも小さな幅をもち、両端に先端フランジを有する細長部と、当該細長部と前記バネ部とをつなぐ基部とを備えた先端部と、当該細長部の両端から当該基部の両端にかけて形成されるフランジと、を具備するロードビーム、
を有する、ことを特徴とする磁気ヘッド支持体。
【請求項８】
請求項１に記載の磁気ヘッド支持体と、磁気ヘッドを備えるヘッドスライダと、を有する、
ことを特徴とする磁気ヘッド組立体。
【請求項９】
請求項８に記載の磁気ヘッド組立体を有する、
ことを特徴とする磁気ディスク装置。
【発明の詳細な説明】
【技術分野】
【０００１】
本発明は、磁気ディスク媒体に情報の記録等を行う磁気ヘッド支持体に関し、特に磁気ヘッド支持体の軽量化に関する。
【背景技術】
【０００２】
ハードディスクドライブ等の磁気ディスク装置は、例えば図２２に示すように、回転可能に保持される磁気ディスク媒体５００と、回動軸５０１に回動可能に支持され、磁気ディスク媒体５００に情報の記録等を行う磁気ヘッドを備えた磁気ヘッド組立体５０２とを有する。
【０００３】
このような磁気ディスク装置は、コンピュータのみならず、例えば、携帯型の音楽プレーヤ等にも用いられる。この場合、磁気ディスク装置には、音楽プレーヤの落下等により振動や衝撃が負荷された状態でも動作することのできる耐衝撃性が要求される。
【０００４】
そこで、このような磁気ディスク装置の耐衝撃性を高めるため、例えば、磁気ヘッド組立体５０２の軽量化が図られる。
【０００５】
ここで、図２３〜図２６に示す磁気ヘッド組立体を一例として、磁気ヘッド支持体の軽量化について説明する。図２３は、この磁気ヘッド組立体の磁気ディスク媒体に対向する側から見た平面図であり、図２４は、その反対側から見た平面図である。また、図２５は、この磁気ヘッド組立体の側面図であり、図２６は図２４のｘ−ｘ線に沿った断面図である。
【０００６】
この磁気ヘッド組立体は、回動軸６０１に回動可能に保持されるアーム６０２と、アーム６０２に固定されるロードビーム６０３と、ロードビーム６０３に固定されるフレクシャ６０４と、フレクシャ６０４の先端付近に固定されるヘッドスライダ６０５と、を有する。なお、磁気ヘッド支持体はこの磁気ヘッド組立体からヘッドスライダ６０５を除いたものである。
【０００７】
ロードビーム６０３は、一部が屈曲して（図２５参照）ヘッドスライダ６０５を磁気ディスク媒体（図示せず）側に押し付けるバネの役割を果たすバネ部６１０と、当該バネ部６１０から前方に伸び出し、両端がロードビーム６０３の長手方向中心線Ｑに対して一定の角度γをなすテーパ形状の先端部６２０と、を有する。
【０００８】
このロードビーム６０３は、磁気ヘッド支持体を構成する部材の中で比較的大きな重量をもつため、その厚さや幅を低減させることによる軽量化が図られる。
【０００９】
しかしながら、このロードビーム６０３の厚さや幅の低減は、その剛性の低下をも伴うため、シーク時において振動の振幅が増大し、ヘッドスライダ６０５を目的のトラックに位置決めすることが困難となる場合等がある。
【００１０】
そこで、例えば、先端部６２０の両端の略全域にわたって、断面略Ｌ字状（図２６参照）の直線状のフランジ６２１を形成することにより（例えば、特許文献１）、ロードビーム６０３の剛性の維持と振動の抑制とが図られる。
【特許文献１】特開２０００−４０３１９号公報
【発明の開示】
【発明が解決しようとする課題】
【００１１】
しかしながら、上記ロードビーム６０３においては、例えば、その幅を低減させる場合に、バネ部６１０の幅の低減をも伴うため、当該バネ部６１０に要求されるバネ特性を確保できず、その剛性や振動特性を維持することが困難となる。
【００１２】
本発明は、上記課題に鑑みて為されたものであり、剛性や振動特性を維持しつつ軽量化を図ることのできる磁気ヘッド支持体、当該磁気ヘッド支持体を有する磁気ヘッド組立体及び当該磁気ヘッド組立体を有する磁気ディスク装置を提供することをその目的の一つとする。
【課題を解決するための手段】
【００１３】
上記課題を解決するための本発明の一態様に係る磁気ヘッド支持体は、（ａ）回動可能に支持されるアーム、（ｂ）前記アームに固定されるロードビームであって、（ｂ−１）バネ部と、（ｂ−２）前記バネ部の外形寸法よりも小さな幅をもち、両端に先端フランジを有する細長部と、当該細長部と前記バネ部とをつなぐ基部とを備えた先端部と、を具備するロードビーム、及び、（ｃ）前記ロードビームに固定され、前記基部を裏打ちする裏打ち部を具備するフレクシャ、を有する、ことを特徴とする。
【００１４】
また、本発明の一態様に係る磁気ヘッド支持体は、（ａ）回動可能に支持されるアーム、（ｂ）前記アームに固定されるロードビームであって、（ｂ−１）バネ部と、（ｂ−２）前記バネ部の外形寸法よりも小さな幅をもち、両端に先端フランジを有する細長部と、当該細長部と前記バネ部とをつなぐ基部とを備えた先端部と、を具備するロードビーム、（ｃ）前記ロードビームに固定されるフレクシャ、及び、（ｄ）前記ロードビーム及び／又は前記フレクシャに形成され、前記細長部から前記基部に跨がる位置に、前記ロードビームの幅方向で、その一部が前記先端フランジと重なる補強フランジ、を有する、こととしてもよい。
【００１５】
また、本発明の一態様に係る磁気ヘッド支持体は、（ａ）回動可能に支持されるアーム、及び、（ｂ）前記アームに固定されるロードビームであって、（ｂ−１）バネ部と、（ｂ−２）前記バネ部の外形寸法よりも小さな幅をもち、両端に先端フランジを有する細長部と、当該細長部と前記バネ部とをつなぐ基部とを備えた先端部と、当該細長部の両端から当該基部の両端にかけて形成されるフランジと、を具備するロードビーム、を有する、こととしてもよい。
【発明を実施するための最良の形態】
【００１６】
以下、本発明の一実施の形態に係る磁気ヘッド支持体（以下、本支持体と呼ぶ。）と磁気ヘッド組立体（以下、本組立体と呼ぶ。）について図面を参照しつつ説明する。
【００１７】
まず、本組立体の第一のアスペクトを図１〜図４に示す。図１は、本支持体にヘッドスライダを搭載した本組立体を磁気ディスク媒体に対向する側（以下、下面側と呼ぶ。）から見た平面図であり、図２は、その反対側（以下、上面側と呼ぶ。）から見た平面図である。図３は、本組立体の側面図であり、図４は、図２のａ−ａ線に沿った断面図である。なお、図３は、便宜のため、本組立体が磁気ディスク媒体に対向して設置される前の状態を示している。
【００１８】
この第一のアスペクトにおいて、本組立体は、回動軸１に回動可能に保持されるアーム２と、当該アーム２の前方端付近の下面側に固定されるロードビーム３と、当該ロードビーム３の下面側に固定されるフレクシャ４と、当該フレクシャ４の先端付近の下面側に固定され、磁気ヘッドを備えるヘッドスライダ５と、を有している。
【００１９】
ロードビーム３は、その後端が溶接やかしめ等によりアーム１に固定されるバネ部１０と、当該バネ部１０から前方に伸び出す先端部２０と、を有する。
【００２０】
バネ部１０には、ロードビーム３の長手方向中心線Ｐ付近に略矩形の貫通孔が形成されるとともに、当該貫通孔を挟んで一対のバネ部片１１が形成されている。また、このバネ部１０は、その一部が屈曲し（図３参照）、ロードビーム３の当該屈曲部分から先端側（先端部２０を含む。）を傾斜させて、その弾性によりヘッドスライダ５を図示しない磁気ディスク媒体側に押し付けるバネ荷重を発生させる。
【００２１】
先端部２０は、バネ部１０の外形寸法Ｗ（すなわち、ロードビーム３の長手方向中心線Ｐに垂直な方向における当該ロードビーム３の両端間距離、バネ部１０の幅）よりも小さい幅を有して前方に細長く伸び出る細長部２１と、当該細長部２１とバネ部１０とをつなぐ基部２２と、を有している。
【００２２】
細長部２１は、長手方向の両端に略直線状のフランジ（以下、先端フランジ２３と呼ぶ。）を有している。この先端フランジ２３は、例えば、図４に示すように、細長部２１の後端付近をその幅方向に横切るａ−ａ線上において、当該細長部２１の両端の一部を上方に折り曲げた略Ｌ字状に形成され、当該細長部２１の剛性を高めている。
【００２３】
基部２２は、バネ部１０の前端の幅と細長部２１の後端の幅との落差を埋めるよう、当該バネ部１０から当該細長部２１にかけて急激に幅を減じるテーパ形状に形成される。
【００２４】
また、この基部２２の両端がロードビーム３の長手方向中心線Ｐとなすテーパ角度αは、細長部２１の両端が当該中心線Ｐとなすテーパ角度βに比べて大きくなっている。
【００２５】
このように、基部２２の両端は細長部２１の両端の延長線上にないため、当該基部２２の両端に先端フランジ２３から連続したフランジを形成することは必ずしも容易でない。このため、この第一のアスペクトにおいては、基部２２にフランジを形成することなく、次に述べるように、フレクシャ４の一部を用いて基部２２の剛性を高めている。
【００２６】
すなわち、本支持体のフレクシャ４は、可撓性をもちヘッドスライダ５が固定される可撓部３０と、ロードビーム３の基部２２に固定される裏打部３１と、を有し、その下面の長手方向中心付近には、ヘッドスライダ５の磁気ヘッドと端子部６とを繋ぐ配線パターン７が絶縁層（例えば、ポリイミド等）を介して配置されている。
【００２７】
このフレクシャ４の裏打部３１は、ロードビーム３の細長部２１の後端の幅よりも大きい幅をもって形成されている。具体的に、この裏打部３１は、基部２２の略全体を下面側から覆うように、その両端が当該基部２２の両端に沿うようなテーパ形状に形成される。すなわち、この裏打部３１は、細長部２１の後端の幅よりも大きく、バネ部１０の前端の幅よりも小さい幅を有する幅広の翼状に形成される。
【００２８】
そして、この裏打部３１は、フレクシャ４に配置されている配線パターン７を挟む両翼部分の固定点３２において、基部２２の下面側に溶接やかしめ等により固定されている。このように、裏打部３１は、基部２２を裏打ちすることにより、当該基部２２の剛性を高めている。
【００２９】
次に、本組立体の第二のアスペクトを図５〜図８に示す。図５は、本組立体の下面図であり、図２は、本組立体の上面図である。図７は、本組立体の側面図であり、図８は、図６のｂ−ｂ線に沿った断面図である。なお、この第二のアスペクトにおいて、第一のアスペクトと同様の部分には当該第一のアスペクトにおける番号に１００を加えた番号を付して、詳細な説明は省略する。
【００３０】
この第二のアスペクトにおいて、本支持体のロードビーム１０３は、先端部１２０の長手方向中心線Ｐ付近に、細長部１２１の後端付近から基部１２２にかけて形成される一対の補強フランジ１４０を有している。
【００３１】
この補強フランジ１４０は、ロードビーム１０３の幅方向において、その一部が先端フランジ１２３と重なる位置に形成されている。例えば、図８に示すように、この補強フランジ１４０は、細長部１２１の後端付近をその幅方向に横切るｂ−ｂ線上において、細長部１２１の両端に形成された一対の先端フランジ１２３の間に形成されている。
【００３２】
すなわち、このロードビーム１０３は、図７に示すように、バネ部１１０の屈曲部分から前方の傾斜部分のうち、細長部１２１の先端付近から後端にかけて先端フランジ１２３を有するとともに、当該先端フランジ１２３と一部重なる位置から基部１２２にかけて補強フランジ１４０を有している。
【００３３】
このように、第二のアスペクトに係るロードビーム１０３においては、細長部１２１の後端付近から基部１２２に跨る、先端部１２０のテーパ角度が変化する位置に補強フランジ１４０を設けることによって、当該ロードビーム１０３の剛性を高めている。なお、このような補強フランジ１４０を設ける場合には、フレクシャ１０４は裏打部１３１を有しないこととしてもよい。
【００３４】
次に、本組立体の第三のアスペクトを図９〜図１２に示す。図９は、本組立体の下面図であり、図１０は、本組立体の上面図である。図１１は、本組立体の側面図であり、図１２は、図１０のｃ−ｃ線に沿った断面図である。なお、この第三のアスペクトにおいて、第一のアスペクトと同様の部分には当該第一のアスペクトにおける番号に２００を加えた番号を付して、詳細な説明は省略する。
【００３５】
この第三のアスペクトにおいて、本支持体のロードビーム２０３は、先端部２２０の長手方向中央線Ｐ付近に、細長部２２１から基部２２２にかけて形成される１つの補強フランジ構造２５０を有している。
【００３６】
この補強フランジ構造２５０は、ロードビーム２０３の幅方向において、その一部が先端フランジ２２１と重なる位置に形成されている。例えば、図１２に示すように、この補強フランジ構造２５０は、細長部２２１の後端付近をその幅方向に横切るｃ−ｃ線上において細長部２２１の両端に形成された一対の先端フランジ２２３の間に形成されている。
【００３７】
また、この補強フランジ構造２５０は、図１２に示すように、ロードビーム２０３の長手方向中央線Ｐ付近に一対形成されるフランジ側面２５１と、当該２つのフランジ側面２５１を上方で繋ぐ天井面２５２とを有して形成されている。なお、この補強フランジ構造２５０は、絞り加工（drawing）等によって形成することができる。
【００３８】
すなわち、このロードビーム２０３は、図１１に示すように、バネ部２１０の屈曲部分から前方の傾斜部分のうち、細長部２２１の先端付近から後端にかけて先端フランジ２２３を有するとともに、当該先端フランジ２２３と一部重なる位置から基部２２２にかけて補強フランジ構造２５０を有している。
【００３９】
このように、第三のアスペクトに係るロードビーム２０３においては、細長部２２１の後端付近から基部に跨る、先端部２２０のテーパ角度が変化する位置に補強フランジ構造２５０を設けることによって、当該ロードビーム２０３の剛性を高めている。なお、このような補強フランジ構造２５０を設ける場合には、フレクシャ２０４は裏打部２３１を有しないこととしてもよい。
【００４０】
次に、本組立体の第四のアスペクトを図１３〜図１６に示す。図１３は、本組立体の下面図であり、図１４は、本組立体の上面図である。図１５は、本組立体の側面図であり、図１６は、図１４のｄ−ｄ線に沿った断面図である。なお、この第四のアスペクトにおいて、第一のアスペクトと同様の部分には当該第一のアスペクトにおける番号に３００を加えた番号を付して、詳細な説明は省略する。
【００４１】
この第四のアスペクトにおいて、フレクシャ３０４の裏打部３３１は、細長部３２１の後端付近から基部３２２の後端付近にかけて直線的に幅を増大させるテーパ形状に形成され、その両端には直線状の補強フランジ３６０を有している。
【００４２】
この補強フランジ３６０は、ロードビーム３０３の幅方向において、その一部が先端フランジ３２３と重なる位置に形成されている。例えば、図１６に示すように、この補強フランジ３６０は、細長部３２１の後端付近をその幅方向に横切るｄ−ｄ線上において、細長部３２１の両端に形成された一対の先端フランジ３２３を挟む位置に、裏打部３３１の両端を上方に折り曲げた略Ｌ字状に形成されている。
【００４３】
すなわち、本支持体は、図１５に示すように、ロードビーム３０３のバネ部３１０の屈曲部分から前方の傾斜部分のうち、細長部３２１の先端付近から後端にかけて先端フランジ３２３を有するとともに、当該先端フランジ３２３と一部重なる細長部３２１の後端付近から基部３２２に跨る位置においては、フレクシャ３０４の裏打部３３１に補強フランジ３６０を有している。
【００４４】
このように、第四のアスペクトに係る本組立体においては、ロードビーム３０３の細長部３２１の後端付近から基部３２２に跨る、先端部３２０のテーパ角度が変化する部分を裏打ちする裏打部３３１に補強フランジ３６０を設けることによって、当該ロードビーム３０３の剛性を高めている。
【００４５】
次に、本組立体の第五のアスペクトを図１７〜図２０に示す。図１７は、本組立体の下面図であり、図１８は、本組立体の上面図である。図１９は、本組立体の側面図であり、図２０は、図１８のｅ−ｅ線に沿った断面図である。なお、この第五のアスペクトにおいて、第一のアスペクトと同様の部分には当該第一のアスペクトにおける番号に４００を加えた番号を付して、詳細な説明は省略する。
【００４６】
この第五のアスペクトにおいて、本支持体のロードビーム４０３は、細長部４２１の両端から基部４２２の両端にかけて連続したフランジ４７０を一対有している。すなわち、例えば、図２０に示すように、細長部４２１の後端付近をその幅方向に横切るｅ−ｅ線に沿った断面において、細長部４２１の両端には、当該両端の一部を上方に折り曲げた略Ｌ字状の一対のフランジ４７０が形成されている。また、基部４２２の両端においても、当該両端の一部を上方に折り曲げた断面略Ｌ字状の一対のフランジ４７０が形成されている。なお、この場合、フレクシャ４０４は裏打部４３１を有しないこととしてもよい。
【００４７】
次に、有限要素法を用いて、本組立体のロードオン時（ヘッドスライダを磁気ディスク媒体表面上に浮上させた状態）における主な固有値を解析した結果について説明する。この解析において、ロードビームの板厚は２５μｍ、フレクシャの板厚は２０μｍとした。
【００４８】
図２１には、本組立体に係る５つのモデルと、対照モデルと、について行った解析結果の一例を示す。図２１において、Ａは、第一のアスペクトに係る本組立体において、便宜的にフレクシャの裏打部を有しないこととした対照モデルについて、Ｂは第一のアスペクトに係る本組立体について、Ｃは第二のアスペクトに係る本組立体について、Ｄは第三のアスペクトに係る本組立体について、Ｅは第四のアスペクトに係る本組立体について、Ｆは第五のアスペクトに係る本組立体について、の解析結果をそれぞれ示す。
【００４９】
図２１に示すように、Ｂ〜Ｆに示す第一〜第五のアスペクトに係る本組立体は、いずれも、Ａに示す対照モデルに比べて、ねじれ１次モード、首振り１次モードの固有値が高く、当該対照モデルに比べて振動特性に優れていることが確認された。
【００５０】
特に、Ｆに示す第五のアスペクトに係る本組立体は、フランジの長さを調整することによって、ねじり１次モードの固有値を変更することなく、首振り１次モードの固有値を８．３ｋＨｚ〜１０．３ｋＨｚの間で設定することができるため、設計の自由度が大きい。
【００５１】
また、Ｂのモデル（第一のアスペクトに係る本組立体）について、ロードビームとフレクシャとの板厚の比率を変えて解析を行った結果、特にフレクシャの板厚に対するロードビームの板厚が２倍未満とした場合に、対照モデルに比べて顕著に高い固有値が得られた（結果は図示せず）。
【００５２】
以上のように、本支持体においては、ロードビームの剛性を高めるために新たな部材を必要としないため、簡易な構成によって、低コストで軽量化を図ることが可能である。
【００５３】
また、本支持体においては、ロードビームに比べて厚さの小さいフレクシャの一部として形成される裏打部によってロードビームを補強しているため、本支持体全体としての軽量化を図りつつ、耐衝撃性を高めることができる。
【００５４】
また、本支持体と、磁気ヘッドを備えたヘッドスライダと、を有する本組立体は、当該ヘッドスライダを磁気ディスク媒体の表面上を相対移動させ、当該磁気ヘッドによって当該磁気ディスク媒体を磁化することにより、当該磁気ディスク媒体に情報を書き込む。また、本組立体の磁気ヘッドは、磁気ディスク媒体の磁化パターンを読み取ることにより、当該磁気ディスク媒体に書き込まれた情報を読み取って出力する。
【００５５】
さらに、本組立体を有する磁気ディスク装置は、ホストとなったコンピュータから情報の書き込み指示と、記録するべき情報との入力を受けて、磁気ヘッドを制御し、入力された情報を磁気ディスク媒体に書き込む。また、この磁気ディスク装置は、ホストから受け入れた情報の読み取り指示に従い、磁気ディスク媒体上の指定された箇所に磁気ヘッドを移動する。そして、当該磁気ヘッドによって読み取られた情報の入力を受けて、当該情報をホストに出力する。
【００５６】
なお、本発明に係る磁気ヘッド支持体は、本実施形態に限られない。例えば、本発明に係る磁気ヘッド支持体は、いわゆるスタック方式によるものであってもよいし、かしめ方式によるものであってもよい。
【００５７】
また、本実施形態においてフランジは断面Ｌ字状に形成されるものであってもよいし、断面Ｕ字状に形成されるものであってもよく、その形状は限定されるものではない。
【００５８】
また、ロードビームの細長部の両端と基部の両端とは、直線同士であってもよいし、所定の曲率をもった曲線同士であってもよいし、又はこれらの曲線と直線との組み合わせであってもよい。
【図面の簡単な説明】
【００５９】
【図１】本発明の一実施の形態における第一のアスペクトに係る磁気ヘッド組立体の下面図である。
【図２】本発明の一実施の形態における第一のアスペクトに係る磁気ヘッド組立体の上面図である。
【図３】本発明の一実施の形態における第一のアスペクトに係る磁気ヘッド組立体の側面図である。
【図４】図２のａ−ａ線に沿った断面図である。
【図５】本発明の一実施の形態における第二のアスペクトに係る磁気ヘッド組立体の下面図である。
【図６】本発明の一実施の形態における第二のアスペクトに係る磁気ヘッド組立体の上面図である。
【図７】本発明の一実施の形態における第二のアスペクトに係る磁気ヘッド組立体の側面図である。
【図８】図６のｂ−ｂ線に沿った断面図である。
【図９】本発明の一実施の形態における第三のアスペクトに係る磁気ヘッド組立体の下面図である。
【図１０】本発明の一実施の形態における第三のアスペクトに係る磁気ヘッド組立体の上面図である。
【図１１】本発明の一実施の形態における第三のアスペクトに係る磁気ヘッド組立体の側面図である。
【図１２】図１０のｃ−ｃ線に沿った断面図である。
【図１３】本発明の一実施の形態における第四のアスペクトに係る磁気ヘッド組立体の下面図である。
【図１４】本発明の一実施の形態における第四のアスペクトに係る磁気ヘッド組立体の上面図である。
【図１５】本発明の一実施の形態における第四のアスペクトに係る磁気ヘッド組立体の側面図である。
【図１６】図１４のｄ−ｄ線に沿った断面図である。
【図１７】本発明の一実施の形態における第五のアスペクトに係る磁気ヘッド組立体の下面図である。
【図１８】本発明の一実施の形態における第五のアスペクトに係る磁気ヘッド組立体の上面図である。
【図１９】本発明の一実施の形態における第五のアスペクトに係る磁気ヘッド組立体の側面図である。
【図２０】図１８のｅ−ｅ線に沿った断面図である。
【図２１】本発明の一実施の形態に係る磁気ヘッド組立体について、有限要素法を用いた固有値を解析した結果の一例を示す図である。
【図２２】磁気ディスク装置の一例を示す概観斜視図である。
【図２３】磁気ヘッド組立体の一例についての下面図である。
【図２４】磁気ヘッド組立体の一例についての上面図である。
【図２５】磁気ヘッド組立体の一例についての側面図である。
【図２６】図２４のｘ−ｘ線に沿った断面図である。
【符号の説明】
【００６０】
３，１０３，２０３，３０３，４０３  ロードビーム、４,１０４,２０４,３０４,４０４  フレクシャ、１０,１１０,２１０,３１０,４１０  バネ部、２０,１２０,２２０,３２０,４２０  先端部、２１,１２１,２２１,３２１,４２１  細長部、２２,１２２,２２２,３２２,４２２  基部、２３,１２３,２２３,３２３  先端フランジ、３１,１３１,２３１,３３１,４３１  裏打部、１４０,３６０  補強フランジ、２５０  補強フランジ構造、４７０  フランジ。
【図１】
2006190365.tif 000003
【図２】
2006190365.tif 000004
【図３】
2006190365.tif 000005
【図４】
2006190365.tif 000006
【図５】
2006190365.tif 000007
【図６】
2006190365.tif 000008
【図７】
2006190365.tif 000009
【図８】
2006190365.tif 000010
【図９】
2006190365.tif 000011
【図１０】
2006190365.tif 000012
【図１１】
2006190365.tif 000013
【図１２】
2006190365.tif 000014
【図１３】
2006190365.tif 000015
【図１４】
2006190365.tif 000016
【図１５】
2006190365.tif 000017
【図１６】
2006190365.tif 000018
【図１７】
2006190365.tif 000019
【図１８】
2006190365.tif 000020
【図１９】
2006190365.tif 000021
【図２０】
2006190365.tif 000022
【図２１】
2006190365.tif 000023
【図２２】
2006190365.tif 000024
【図２３】
2006190365.tif 000025
【図２４】
2006190365.tif 000026
【図２５】
2006190365.tif 000027
【図２６】
2006190365.tif 000028